(57)【特許請求の範囲】
【請求項１】
各々がデジタルデータ信号を担う異種記録媒体の情報再生装置であって、
記録媒体から読み取られた読取信号をサンプリングして得られたサンプル値を再生サンプル値として順次生成するＡ／Ｄ変換手段と、
前記記録媒体の種類に応じて前記再生サンプル値として取り得る複数の予測サンプル値を生成する予測値設定手段と、
前記再生サンプル値と前記予測サンプル値各々との誤差値を夫々求めつつ前記予測サンプル値各々毎にその誤差値の累算値を求め、前記累算値が最小となるデータ系列を再生ディジタル信号として出力するビタビ復号手段と、を有することを特徴とするデジタルデータ記録異種媒体情報再生装置。
【請求項２】
前記異種記録媒体は、同一径で互いに情報記録密度が異なる光ディスクであることを特徴とする請求項１記載の情報再生装置。
【請求項３】
前記予測値設定手段は、前記異種記録媒体に共通する特定の記録領域から読み取られたディスクの種類を示すディスク判別信号に応じて前記予測サンプル値を生成することを特徴とする請求項２記載の情報再生装置。
【請求項４】
前記予測値設定手段は、前記異種記録媒体に共通する特定の記録領域から読み取られたディスクの情報記録密度を示す密度判別信号に応じて前記予測サンプル値を生成することを特徴とする請求項２記載の情報再生装置。
【請求項５】
前記予測値設定手段は、前記異種記録媒体に共通する特定の記録領域から読み取られたディスクの情報記録面の光反射率を示す反射率判別信号に応じて前記予測サンプル値を生成することを特徴とする請求項２記載の情報再生装置。
【請求項６】
前記予測値設定手段は、前記異種記録媒体に共通する特定の記録領域から読み取られたディスクの情報記録面を識別する再生層判別信号に応じて前記予測サンプル値を生成することを特徴とする請求項２記載の情報再生装置。
【請求項７】
前記予測値設定手段は、前記異種記録媒体に共通する特定の記録領域から読み取られた最小反転間隔信号の振幅を検出して、この振幅に応じて前記予測サンプル値を生成することを特徴とする請求項２記載の情報再生装置。
【請求項８】
前記予測値設定手段は、前記再生サンプル値から、最小反転間隔のサンプル値列の振幅を検出して、この振幅に応じて前記予測サンプル値を生成することを特徴とする請求項２記載の情報再生装置。
【請求項９】
前記予測値設定手段は、前記異種記録媒体の種類に各々対応した複数の予測サンプル値を保持する保持手段と、前記保持手段に保持されている前記予測サンプル値各々の内から前記記録媒体の種別に対応した予測サンプル値を選択する手段と、を含むことを特徴とする請求項１記載の情報再生装置
【発明の詳細な説明】
【０００１】
【発明の属する技術分野】
本発明は、記録デジタルデータ信号を再生する再生装置に関し、特に、デジタルデータ信号を担う異なる種類の記録媒体を読み取って記録デジタルデータ信号を再生するコンパチブル再生装置に関する。
【０００２】
【背景技術】
近時、光ディスクにデジタル圧縮映像信号及びディジタル音声データ等を高密度に記録することが提案されている。例えば、１９９５年２月２７日発行の日経エレクトロニクスＮｏ．６３０の第８７頁ないし第１００頁には、コンパクトディスク（以下ＣＤと称する）と同一径であってデジタルビデオ信号を高密度記録するデジタルビデオディスク（以下ＤＶＤと称する）が提案されている。
【０００３】
上記したＤＶＤは、ＣＤと同一径とする一方で例えばＣＤの数倍の記憶容量あるいは記録密度を有する。そして、ＤＶＤからデジタルデータを読み取る光ピックアップにおいては読取ビームの波長λが短く対物レンズの開口数ＮＡが大きく設定される。
また、ＣＤにおいては、記録されるデジタルデータ信号はＥＦＭ（Ｅｉｇｈｔ  ｔｏ  Ｆｏｕｒｔｅｅｎ  Ｍｏｄｕｌａｔｉｏｎ）変調が施されているのに対し、ＤＶＤにおいては８／１５変調が施されたデジタルデータ信号が記録される。また、両者における同期フレームの構成あるいは誤り訂正ブロックの構成等のデータフォーマットも互いに異なる。更に、ＤＶＤの記録デジタルデータはＭＰＥＧ（Ｍｏｖｉｎｇ  Ｐｉｃｔｕｒｅ  Ｅｘｐｅｒｔｓ  Ｇｒｏｕｐ）方式により圧縮された画像データを含むので、ＤＶＤのプレーヤはＭＰＥＧ復号回路を必要とする。
【０００４】
このようにＣＤ及びＤＶＤについては種々異なる点があるものの、両者のディスクサイズは同一であり、ディスクを回転駆動する回転機構は両者に対して兼用出来る故、ＣＤ及びＤＶＤの双方を演奏してその記録情報を再生することの出来るコンパチブルプレーヤが望まれるのである。
また、平成７年７月５日発行の０  ｐｌｕｓ  Ｅ  １９９５年７月号  ＮＯ．１８８の第９５頁ないし第１０１頁に開示されている如く、ＤＶＤの一方式であるＳＤ（Ｓｕｐｅｒ  Ｄｅｎｓｉｔｙ  ｄｉｓｃ  ｓｙｓｔｅｍ  ）フォーマットの光ディスクは、各種の記録容量、記録密度を持つファミリを構築している。
【０００５】
ＳＤ−５と呼ばれるディスク及びＳＤ−１０と呼ばれるディスクは片面当たり５ＧＢの記録容量を有する。２層構造のＳＤ−９と呼ばれるディスク及びＳＤ−１８と呼ばれるディスクは一層当たり４．５ＧＢの記録容量を有する。追記型のＳＤ−Ｒと呼ばれるディスクは片面４ＧＢまでの記録容量を有する。書換型のＳＤ−ＲＡＭと呼ばれるディスクは片面当たり２．６ＧＢの記録容量を有する。
【０００６】
これらの光ディスクは上述のように記録密度が異なるとともに、再生時の読取信号の振幅も互いに異なる。例えばＳＤ−５では、照射したレーザー光が反射率の高いアルミ反射膜で反射されるため、読取信号の振幅は大きいが、ＳＤ−ＲＡＭでは反射率の低い相変化特性を持った反射膜で反射されるため、読取信号の振幅は小さい。また、２層構造のＳＤ−９では、２層とも反射率が低いだけでなく、第１層と第２層の反射率が異なるため各々の読取信号の振幅も異なる。ＳＤプレーヤは、これら記録密度と読取信号振幅とが互いに異なる各種の光ディスクを１台で再生できることが望まれる。
【０００７】
【発明が解決しようとする課題】
そこで、本発明の目的は、デジタルデータ信号を記憶した異種記録媒体から読み取った読取信号に対して記録媒体の種類に対応した最適な信号処理を施し、正確に記録デジタルデータを再生することができるコンパチブル情報再生装置を提供することである。
【０００８】
【課題を解決するための手段】
本発明による異種記録媒体の情報再生装置は、各々がデジタルデータ信号を担う異種記録媒体の情報再生装置であって、記録媒体に記録されたデジタルデータ信号を読み取って読取信号を生成する読取手段と、前記読取信号をＡ／Ｄ変換して再生サンプル値を順次生成するＡ／Ｄ変換手段と、前記記録媒体の種類に応じた予測値を生成する予測値設定手段と、前記再生サンプル値に対して前記予測値に基づくビタビ復号を行い再生ディジタル信号を生成するビタビ復号手段と、を有することを特徴としている。
【０００９】
【課題を解決するための手段】
本発明による異種記録媒体の情報再生装置は、各々がデジタルデータ信号を担う異種記録媒体の情報再生装置であって、記録媒体から読み取られた読取信号をサンプリングして得られたサンプル値を再生サンプル値として順次生成するＡ／Ｄ変換手段と、前記記録媒体の種類に応じて前記再生サンプル値として取り得る複数の予測サンプル値を生成する予測値設定手段と、前記再生サンプル値と前記予測サンプル値各々との誤差値を夫々求めつつ前記予測サンプル値各々毎にその誤差値の累算値を求め、前記累算値が最小となるデータ系列を再生ディジタル信号として出力するビタビ復号手段と、を有することを特徴としている。
【００１０】
【発明の実施の形態】
上記異種記録媒体として、同一径で互いに情報記録密度が異なる光ディスクが挙げられるが、本発明は、他の記録媒体の記録情報を再生する装置にも適用可能である。上記予測値設定手段は、（１）例えばリードインエリア等の異種記録媒体に共通する特定の記録領域から読み取られたディスクの種類を示すディスク判別信号に応じて予測値を設定する態様や、（２）当該特定の記録領域から読み取られたディスクの情報記録密度を示す密度判別信号に応じて予測値を設定する態様、（３）当該特定の記録領域から読み取られたディスクの情報記録面の光反射率を示す反射率判別信号に応じて予測値を設定する態様、（４）当該特定の記録領域から読み取られたディスクの情報記録面を識別する再生層判別信号に応じて予測値を設定する態様、（５）リードインエリアのような所定の記録領域から読み取られた最小反転間隔信号の振幅を検出して、これに応じた予測値を設定する態様、（６）上記Ａ／Ｄ変換手段の出力再生サンプル値から、最小反転間隔のサンプル値列の振幅を検出して、これに応じた予測値を設定する態様などを採ることができる。
【００１１】
【実施例】
図１は、本発明による光ディスクコンパチブルプレーヤの一例を示している。図１においては、スピンドル駆動モータ１によって回転駆動せしめられるターンテーブル２にＣＤ及びＤＶＤのいずれか一方の光ディスク３が載置されて演奏されるのである。光ディスク３のデジタルデータ信号を担う記録面に対向して、２つの光ピックアップ４，５が設けられている。サーボ回路６は、スピンドルモータ１が適当な回転速度にて回転するようにスピンドルサーボを施し、光ピックアップ４，５に対しては、フォーカスサーボ及びトラッキングサーボを施す。これらのスピンドルサーボ、フォーカスサーボ、及びトラッキングサーボについては、光ディスクプレーヤの分野において周知の技術である故、ここでは詳述しない。光ピックアップ４，５から得られる読取信号はアンプ７，８によって増幅されて切換スイッチ回路９の２つの入力端に各々供給される。また、アンプ７，８を経た読取信号は、ディスク判別回路１０にも供給される。ディスク判別回路１０は、供給される読取信号の振幅レベル、読取信号に含まれるＴＯＣ（Ｔａｂｌｅ  ｏｆ  Ｃｏｎｔｅｎｔｓ）データ、読取信号の周波数、読取信号に含まれる同期信号のパターン又は周期等によって光ディスク３の種類を判別して、その判別結果を示す判別信号を切替スイッチ回路９及びサーボ回路６に供給する。
【００１２】
ディスク判別回路１０は、例えば、光ディスクをキャディと称する外装カートリッジに収納して、このキャディに設けた検知孔の有無、形状によって判別したり、また、キャディ自体の有無によって判別する方式とすることも考えられる。また、光ディスクの厚さを、読取ビームを集束せしめる対物レンズの移動をなすフォーカス動作中に得られる反射ビームのピーク発生時点間における対物レンズの実移動量によって得、これに基づきディスクの種類を知る判別方式が本出願人による特願平７−５１４５３号に開示されている。更にまた、ディスクのレーベル部に何らかの判別パターンを設けてこれによってディスクの種類を判別する方式も考えられる。
【００１３】
切替スイッチ回路９は、供給される判別信号に応じて判別されたディスクの種類に適合する光ピックアップを選択して、光ピックアップ４，５のうちの選択した一方の読取信号をＡ／Ｄ変換器１１に中継する。Ａ／Ｄ変換器１１は、供給される読取信号を所定サンプリングタイミングにてサンプリングして、得られるサンプル値の各レベルを例えば、８ビットデータによって表わすようにして再生サンプル値データ列を生成する。ビタビ復号回路１２は、再生サンプル値データに対して、予測サンプル値設定回路１３から得られる予測サンプル値に基づくビタビ復号を施して、ビタビ復号データを生成する。得られるビタビ復号データは、ＤＶＤデータ処理回路１４及びＣＤデータ処理回路１５に供給され、データ処理を各々施される。例えば、ＣＤデータ処理回路においては、ＥＦＭ復調、ＣＩＲＣ（Ｃｒｏｓｓ  Ｉｎｔｅｒｌｅａｖｅ  Ｒｅｅｄ−Ｓｏｌｏｍｏｎ  Ｃｏｄｅ）誤り訂正が行われる。ＤＶＤデータ処理回路においては、８／１５復調、誤り訂正、ＭＰＥＧ復号が行なわれる。
【００１４】
ここで、光ピックアップ４，５を各々ＣＤ用及びＤＶＤ用としたとき、光ピックアップ４，５の各々の読取ビームの波長λは例えば  ７８０ｎｍ及び  ６５０ｎｍであり、対物レンズの開口数ＮＡは  ０．４５及び  ０．６０である。また、ＣＤ及びＤＶＤについての定格読取線速度は例えば１．２ｍ／ｓ及び３．３ｍ／ｓであり、デジタルデータ信号に含まれるクロック周波数ｆｓは例えば４．３ＭＨｚ及び２４．５ＭＨｚである。よって、図１に示したプレーヤにおいては、判別信号に応じて２つのピックアップからの読取信号の１つを選択するとともに、判別信号に応じて上記した定格線速度になるようにスピンドルサーボを実行し、また判別信号に応じたクロック周波数にてＡ／Ｄ変換器１１及びその後段の信号処理回路が動作するようになっている。
【００１５】
予測サンプル値設定回路１３は、例えば、図２に示した如く、ディスク判別信号に応じて係数ｈ（ｉ）を出力する係数設定回路２０及び読取信号の取り得る数値列すなわちデータパターンａｋ＝［ａ（ｋ），ａ（ｋ＋１），…ａ（ｋ＋ｎ）］を生成する数値列生成回路２１を含んでいる（ここで、ｋ，ｎは自然数）。そして、得られる係数ｈ（ｉ）と数値列ａ（ｋ＋ｎ−ｉ）（ｉは自然数）とによって
【００１６】
【数１】
0003570791.tif 000002
【００１７】
なる畳み込み演算をなす畳み込み演算回路２２によって予測サンプル値列ｙ（ａｋ）を生成するのである。
ここで、上記したｈ（ｉ）は、光ディスク３，光ピックアップ４及び５を各々含む２つの信号伝送路（読取系）の各々の伝送特性を近似するデジタルフィルタのタップ係数である。具体的には、上記した信号伝送路の各々の周波数特性をサンプリングして離散スペクトルとし、これを離散逆フーリエ変換して離散インパルス応答を求める。そして、この離散インパルス応答を適当な長さで打ち切って、タップ係数とするのである。このような算出過程の一例としては特願平７−７８７７号の明細書の段落番号［００２４］ないし［００２８］にも開示されており、これによれば、下表の如きＣＤ及びＤＶＤに対応する伝送特性を近似したディジタルフィルタのタップ係数すなわちインパルス応答ｈ（ｉ）が求まる。
【００１８】
【表１】
ｈ（−１）＝  ．１５３２７
ｈ（  ０）＝  ．２６５３３
ｈ（  １）＝  ．２６５３３
ｈ（  ２）＝  ．１５３２７
【００１９】
【表２】
ｈ（−１）＝  ．１６０３８
ｈ（  ０）＝  ．２１０４１
ｈ（  １）＝  ．２１０４１
ｈ（  ２）＝  ．１６０３８
また、ＣＤに記録されたデジタルデータ信号は、ＥＦＭ変調が施されており、ＤＶＤに記録されたデジタルデータ信号については例えば８／１５変調が施される。ＥＦＭ変調方式は８ビットの原情報データを１７ビットの伝送コードに、８／１５変調方式は８ビットの原情報データを１５ビットの伝送コードに変換してディスクに記録する。両変調方式による変調データの最小反転間隔は３Ｔ（Ｔは変調後のクロック周期）であるからＮＲＺ（Ｎｏｎ  Ｒｅｔｕｒｎ  ｔｏ  Ｚｅｒｏ）則で表記すると｛０，１，０，１｝のような１Ｔ信号及び｛０，１，１，０｝の如き２Ｔ信号のデータパターンはあり得ない。よって、かかる存在し得ないデータパターンを予めビタビ復号の対象とするデータパターンから除いておくことができる。逆にＥＦＭ及び８／１５変調で発生し得るデータパターンについては、上記した畳み込み演算を施すと、ＣＤ用及びＤＶＤ用の予測サンプル値列が以下の表３及び表４に示される如く得られる。
【００２０】
【表３】
0003570791.tif 000003
【００２１】
【表４】
0003570791.tif 000004
従って、予測サンプル値設定回路１３は、これらの予測値を保持しておき、ディスク判別信号に応じて上記した予測サンプル値列のいずれか一方をビタビ復号回路１２に供給する構成とすれば足りるのである。
【００２２】
図３は、ビタビ復号回路１２の概略構成を示している。すなわち、ブランチメトリック演算回路３０は、Ａ／Ｄ変換器１１からのサンプル値ＳＰ（ｋ）（ｋは自然数）と予測値ｙ（ａｋ）との２乗誤差をブランチメトリック値として出力する。パスメトリック演算回路３１は、ブランチメトリック演算回路３０からのブランチメトリック値を累積加算してパスメトリック値を生成すると共にパス選択信号を出力する。パスメモリ３２は、供給されるパス選択信号に応じて内部に記憶しているデータ系列を更新し、ビタビ復号された再生デジタルデータ信号を出力する。
【００２３】
上記したブランチメトリック演算回路３０、パスメトリック演算回路３１及びパスメモリ３２は、サンプル値ＳＰ（ｋ）と予測値ｙ（ａｋ）との２乗誤差の累算値が最小となるデジタルデータ系列を再生デジタルデータ信号とする演算をするのである。そして、その具体的構成例は種々考えられるのであるが、以下に一例を示す。
【００２４】
図４は、ブランチメトリック演算回路３０及びパスメトリック演算回路３１の回路例を示しており、ブランチメトリック演算回路３０は、Ａ／Ｄ変換器１１から供給されるサンプル値データＳＰ（ｋ）と予測値ｙ（００００），ｙ（１０００）＝ｙ（０００１），ｙ（１１００）＝ｙ（００１１），ｙ（１１１０）＝ｙ（０１１１），及びｙ（１１１１）との差を演算する引き算器ＳＢ１〜ＳＢ５を含んでいる。乗算器Ｍ１〜Ｍ５によって形成される２乗回路は、引き算器ＳＢ１〜ＳＢ５の各出力を２乗し、その２乗出力をＤレジスタＤ０１〜Ｄ０５に供給する。ＤレジスタＤ０１〜Ｄ０５の各々は、Ａ／Ｄ変換器１１のサンプリングタイミングと同一タイミングにてこれら２乗誤差値を取り込んで、これらを各々ブランチメトリック値λ００００，λ１０００，λ０００１，λ００１１，λ１１００，λ１１１０，λ０１１１，λ１１１１として、パスメトリック演算処理部３１に供給する。
【００２５】
パスメトリック演算回路３１に含まれる加算器ＡＤ１〜ＡＤ８は、上記したブランチメトリック信号λ００００〜λ１１１１とパスメトリック信号Ｌ０００，Ｌ１００，Ｌ０００，Ｌ００１，Ｌ１１０，Ｌ１１１，Ｌ０１１，Ｌ１１１とを各々加算する。加算器ＡＤ２及びＡＤ１の出力は比較器Ｃ１のＡ入力及びＢ入力として更には選択回路Ｓ１のＰ１及びＰ０入力として供給される。比較器Ｃ１は、Ａ≧Ｂのときパス選択信号ＳＥＬ０００を論理“０”とし、Ａ＜Ｂのときパス選択信号ＳＥＬ０００を論理“１”とする。また、選択回路Ｓ１は、パス選択信号ＳＥＬ０００が論理“０”のときは入力端子ＰＯを経た入力信号をＤフリップフロップＤ１へ中継し、パス選択信号ＳＥＬ０００が論理“１”のときは入力端子Ｐ１を経た信号を中継する。なお、比較器Ｃ２及び選択回路Ｓ２も比較器Ｃ１及び選択回路Ｓ１と同様に動作する。
【００２６】
ＤフリップフロップＤ１〜Ｄ６は、各々、供給されるデータを１クロック期間だけ保持して遅延させて、パスメトリック信号Ｌ０００，Ｌ００１，Ｌ０１１，Ｌ１００，Ｌ１１０及びＬ１１１を生成するのである。
図５は、パスメモリ３２の具体例を示しており、パスメトリック演算回路からのパス選択信号ＳＥＬ０００及びＳＥＬ１１１に応じて、上記した選択回路Ｓ１及びＳ２と同様に動作する選択回路Ｓ１０〜Ｓ１７を有する。そして、ＤフリップフロップＤ１０〜Ｄ１５，Ｄ２０〜Ｄ２５，Ｄ３０〜Ｄ３５，Ｄ４０〜Ｄ４５は、各ステージにおいて、１クロック期間だけ供給されるデータを遅延させる動作をなすのである。そして、最終ステージのＤフリップフロップＤ４０〜Ｄ４５の出力は多数決回路４０に供給される。多数決回路４０は、供給される論理値の“０”又は“１”の多い方の論理値を出力して再生デジタルデータ信号を生成するのである。
【００２７】
なお、上記したパスメモリ３２は、４ビットのメモリ長の形式となっているが、２０〜２００ビットのメモリ長の形式とすることが実用的であると考えられる。そして、メモリ長を長くすれば、最終段のデータは全て一致する確率が高くなり、多数決回路４０は必要なくなる。
更に、上記したブランチメトリック演算回路３０、パスメトリック演算回路３１、及びパスメモリ３２は、与えられた予測値ｙ（ａｋ）によって再生サンプル値系列に対してビタビ復号処理を施すのであり、予測値さえ与えられれば、ビタビ復号処理をなす回路形式は種々実現出来ることは、当業者にとっては明らかである。
【００２８】
以上のようにして、ビタビ復号回路は再生サンプル値と複数の予測サンプル値との２乗誤差を算出し、１クロック毎にこれを逐次累積加算し、この累積２乗誤差が最小となるデータ系列を選択出力するのである。このような最尤復号を行うことにより、記録密度が高密度な場合や、再生信号のＳ／Ｎが低い場合にも信頼性の高いデジタルデータの復号が可能である。
【００２９】
図１における予測サンプル値設定回路１３は、例えばＲＯＭ（Ｒｅａｄ  Ｏｎｌｙ  Ｍｅｍｏｒｙ  ）によって構成できる。一つのアドレス群に１つの種類のディスクに対応した予測サンプル値群を記憶しておき、他のアドレス群に他の種類のディスクに対応した予測サンプル値群を記憶しておく。そして、ディスク判別信号に応じて、一方のアドレス群から記憶データを読出せば読取対象のディスクに合致した予測サンプル値群が得られる。
【００３０】
上記実施例のように、予測サンプル値は既知のパラメータから算出できるので、予めＲＯＭに記憶しておくことができる。よってディスク判別結果に応じて、直ちに最適な状態でビタビ復号を行なうことができる。
なお、予測サンプル値設定回路はＲＯＭに限らず、図６の如きゲート回路によって構成することもできる。図６は例として、１６進数のＡｈｅｘ（１０１０）と７ｈｅｘ（０１１１）を切換えている。ビタビ復号回路が例えば４ビットの数値を予測値として５個必要とする場合は、図６の如きゲート回路を５個設ければよい。
【００３１】
また、図１における光ピックアップ４，５及び切換スイッチ回路９の代りに第５５回応用物理学会学術講演会講演予稿集１９Ｐ−Ｓ−４及び１９Ｐ−Ｓ−５において開示されているホログラム素子（ＨＯＥ）を含む２焦点光ヘッドを用いれば、ディスク基板の厚さの異なる光ディスクについて、ディスク判別信号によって２焦点光ヘッドの焦点位置を切り換える構成を採用することが出来る。
【００３２】
上記実施例ではＣＤとＤＶＤとのコンパチブルプレーヤにつき説明したが、本発明は、これに限らず、あらゆるデジタルデータ記録ディスクに適合するビタビ復号をなすことを基本思想に持つものである。
すなわち、既述の如きＳＤ−５，ＳＤ−１０，ＳＤ−９，ＳＤ−１８，ＳＤ−Ｒ，及びＳＤ−ＲＡＭのいわゆるＳＤファミリの各ディスクを含め、読取対象のディスクに最適なビタビ復号を行うものである。
【００３３】
図７は、かかるＳＤファミリのコンパチブルディスクプレーヤの構成を示しており、図１と同等の部分には同一の符号が付されている。
図７において、ピックアップ５からのアナログ読取信号は、Ａ／Ｄ変換器１１にてその読取信号レベルに対応するディジタル信号すなわち再生サンプル値に変換されビタビ復号器１２に供給される。ビタビ復号器１２は、順次供給される再生サンプル値にビタビ復号を施し、２値の再生ディジタル信号を生成しデータ処理回路１４´に供給する。データ処理回路１４´は、基本的にはＳＤシステムの記録変調符号である８／１５変調符号の復調処理や、誤り訂正処理，及びＭＰＥＧ復号処理を行い、適宜、ビタビ復号器１２からのディジタル読取信号に基づいてＳＤファミリの各ディスクに対応する信号処理を行う。データ処理回路１４´は、これらの全ての処理結果として図示せぬ映像系にビデオ信号を、図示せぬ音声系にオーディオ信号を、データ系にデータ信号を分配供給する。
【００３４】
予測値設定回路１３´は、図１と異なり、ビタビ復号出力に応じて予測値を決定し、それをビタビ復号器１２に設定する。
本実施例においても、読取信号の最小反転間隔が３Ｔであるから、先の図３ないし図５と同様の回路構成でビタビ復号を実現することができる。しかし、ＣＤとＤＶＤとで表３及び表４に示される如きビタビ復号の２つの予測値を切り換えるものではない。ここで、表３及び表４における予測値ｙ３  は、再生サンプル値系列における中心値に対応し、ゼロである。予測値ｙ４  は、３Ｔ信号（３Ｔの間隔で反転する信号）の正ピークに、予測値ｙ２  は、３Ｔ信号の負ピークに対応しており、ｙ４  −ｙ２  が３Ｔ信号の振幅に相当する。また、予測値ｙ５  は、全再生サンプル値系列の正ピークに、予測値ｙ１  は、全再生サンプル値系列の負ピークに対応しており、ｙ５  −ｙ１  が全再生サンプル値系列の振幅に相当する。
【００３５】
ディスクの情報記録密度が高い場合には、３Ｔ信号はディスクの読取光学系のＭＴＦによって大きく減衰され、その振幅が小さく読み取られる。従ってこの場合には、ｙ４  及びｙ２  の絶対値をその減衰された分だけ小さくすれば良い。また、読取信号の振幅が小さい場合には、ｙ５  ，ｙ４  ，ｙ２  ，ｙ１  の絶対値を振幅に比例して小さくすれば良い。
【００３６】
すなわちこのようなコンセプトに基づき、予測値設定回路１３´は、ビタビ復号器１２の出力信号からＤＶＤの記録密度及び読取信号の振幅を判別して、これに応じてｙ５  ，ｙ４  ，ｙ２  ，ｙ１  の値を最適値に変化させるのである。これにより、ビタビ復号器１２は、読取対象のディスクないしは読取信号に合致した適正な予測値にて読取信号にビタビ復号を施すことができ、復号データの誤り率を低下させることができる。こうしてどのような読取対象ディスクに対しても記録信号の正しい再生が達成されるのである。
【００３７】
パスメトリック演算回路は、図８のように変形され得る。これは、図４に示されるパスメトリック演算回路３１を改善したものである。すなわち、図４におけるＤレジスタＤ０５がブランチメトリック値λ１１１１を出力してから、加算器ＡＤ８、比較器Ｃ２、及び選択回路Ｓ２の処理を終えるまでには、多くの時間を費やしてしまうので、サンプリングクロックの周波数を高めると、加算器ＡＤ８、比較器Ｃ２、及び選択回路Ｓ２にて得られた最終的な処理結果を次段のＤレジスタＤ０６に正確に取り込めなくなり、高速処理化が制限されることを回避している。
【００３８】
その構成は、比較器Ｃ１の比較入力をパスメトリック信号Ｌ０００及びＬ１００とし、比較器Ｃ２の比較入力をパスメトリック信号Ｌ０１１及びＬ１１１としている。これにより、図４のパス選択信号ＳＥＬ０００及びＳＥＬ１１１と同義の信号を得ているのである。
かかるブランチメトリック演算回路３０及びパスメトリック演算回路３１´を詳述すると、先ず、前者にて、サンプル値ＳＰ（ｋ）と予測値ｙ１  〜ｙ５  各々との２乗誤差値を夫々ブランチメトリックλ００００，λ１０００，λ０００１，λ００１１，λ１１００，λ１１１０，λ０１１１，λ１１１１として求める。次に、後者によって、最も小となる累算加算値（パスメトリック）を次の被加算値として選択しつつ、上記ブランチメトリック毎の累算加算を加算器ＡＤ１〜ＡＤ８にて実施する。
【００３９】
この際、パスメトリック演算回路３１´においては、上記の如き最も小となる累算加算値を選択するために、加算器ＡＤ７及びＡＤ８（加算器ＡＤ１及びＡＤ２）に被加算値として供給されるパスメトリック値Ｌ１１１及びＬ０１１（パスメトリック値Ｌ１００及びＬ０００）の大小比較結果を用いるようにしている。すなわち、最も小となる累算加算値を選択するのに、これら累算加算値自体の大小比較は行わないのである。
【００４０】
かかる構成は、図１や図７に示される光ディスクを記録媒体とした記録情報再生装置においては、予測値ｙ１  とｙ２  、更に、予測値ｙ４  とｙ５  とが夫々比較的近い値をとるという事実に鑑みて為されている。
例えば、図４及び図８の構成において、
【００４１】
【数２】
0003570791.tif 000005
である。又、
【００４２】
【数３】
0003570791.tif 000006
である。
ここで、予測値ｙ４  とｙ５  とが比較的近い値であるとすると、これら加算器ＡＤ７及びＡＤ８夫々による累算加算結果の大小関係は、上記パスメトリック値Ｌ１１１とＬ０１１との大小比較を行えば判定出来るということになるのである。
【００４３】
よって、かかる図８に示されるが如きパスメトリック演算回路３１´の構成によれば、加算器ＡＤ７及びＡＤ８（加算器ＡＤ１及びＡＤ２）による加算処理に費やされる時間を待つことなく、これら加算器による累算加算値の大小判定が為される。このように、累算加算値自体の大小比較を実施するようにした図４の構成に比べて高速処理が可能となるのである。
【００４４】
この図８の構成が採用された場合にも、予測値設定回路１３´は、上記コンセプトの下、ビタビ復号器１２の出力信号からＤＶＤの記録密度及び読取信号の振幅を判別して、これに応じてｙ５  ，ｙ４  ，ｙ２  ，ｙ１  の値を最適値に変化させることにより、図４と同等の読取対象ディスクに適応する作用効果を奏し得、しかも高速処理化を図りつつそれを達成することができるのである。
【００４５】
又、上記図１や図７に示される光ディスクを記録媒体とした記録情報再生装置では、その光ディスク自体の成形、あるいは情報記録時の条件変動に伴い、記録ピットのピット長が非対称となるアシンメトリと呼ばれる現象が発生することがある。
図９（ａ）は、かかるアシンメトリが生じていない場合に、図７のＡ／Ｄ変換器１１から出力されるサンプル値系列の一例を示す図であり、図９（ｂ）は、かかるアシンメトリが生じている場合に、図７のＡ／Ｄ変換器１１から出力されるサンプル値系列の一例を示す図である。
【００４６】
この際、アシンメトリが生じると、図９（ｂ）に示されるが如くサンプル値の振幅が上下非対称となり、このサンプル値の値が予測値と大幅にずれてしまう。それ故に、ビタビ復号器の復号性能が低下してしまうのである。
そこで、図９（ｃ）に示されるが如く、供給されるサンプル値の上限値、及び下限値を夫々所定値に制限して、強制的に、アシンメトリによるサンプル値の上下非対称を解消する方法が実施される。
【００４７】
図１０は、かかる方法を図８に示されるブランチメトリック演算回路３０及びパスメトリック演算回路３１´に適用して構成された、ブランチメトリック演算回路３０´及びパスメトリック演算回路３１´´の内部構成を示す図である。
図１０において、リミッタＬＭは、Ａ／Ｄ変換器１１から供給されてくるサンプル値ＳＰ（ｋ）の上限値及び下限値を夫々予測値ｙ４  及びｙ２  の値に制限した振幅制限サンプル値ＳＰ´（ｋ）を、引算器ＳＢ２〜ＳＢ４の各々の一方の入力に供給する。引算器ＳＢ２〜ＳＢ４の各々は、予測値ｙ２  〜ｙ４  と、上記振幅値が制限された振幅制限サンプル値ＳＰ´（ｋ）との差を演算してこれを対応する２乗回路Ｍ２〜Ｍ４に供給する。従って、２乗回路Ｍ２〜Ｍ４からは、｛ｙ２  −ＳＰ´（ｋ）｝２、｛ｙ３  −ＳＰ´（ｋ）｝２、及び｛ｙ４  −ＳＰ´（ｋ）｝２なる２乗誤差値がＡ／Ｄ変換器１１のサンプリングタイミングに同期してサンプル値毎に出力されるのである。
【００４８】
ＤレジスタＤ０２〜Ｄ０４の各々は、上記サンプリングタイミングと同一クロックタイミングにてこれら２乗誤差値を取り込んで、これらをブランチメトリック値λ２〜λ４として、パスメトリック演算回路３１´´に供給する。
パスメトリック演算回路３１´´の加算器ＡＤ２は、ブランチメトリック値λ２と、ＤレジスタＤ４から供給されたパスメトリック値Ｌ１００とを加算して得られた加算値を選択回路Ｓ１に供給する。加算器ＡＤ３は、ブランチメトリック値λ２と、ＤレジスタＤ１から供給されたパスメトリック値Ｌ０００とを加算して得られた加算値を選択回路Ｓ１及びＤレジスタＤ２の各々に供給する。比較器Ｃ１は、上記パスメトリック値Ｌ１００とパスメトリック値Ｌ０００との大小比較を行い、パスメトリック値Ｌ１００≧パスメトリック値Ｌ０００なるときに、パス選択信号ＳＥＬ０００を“０”とする一方、パスメトリック値Ｌ１００＜パスメトリック値Ｌ０００なるときに、ＳＥＬ０００を“１”とする。選択回路Ｓ１は、かかるパス選択信号ＳＥＬ０００が“０”である場合、すなわち、パスメトリック値Ｌ１００がパスメトリック値Ｌ０００以上の値である場合には、加算器ＡＤ３の加算結果を選択してこれをＤレジスタＤ１に供給する一方、パス選択信号ＳＥＬ０００が“１”である場合、すなわち、パスメトリック値Ｌ１００がパスメトリック値Ｌ０００よりも小なる値である場合には、加算器ＡＤ２の加算結果を選択してこれをＤレジスタＤ１に供給する。ＤレジスタＤ１は、選択回路Ｓ１から供給された加算結果を、上記サンプリングタイミングと同一クロックタイミングにて取り込んで、これをパスメトリック値Ｌ０００として加算器ＡＤ３、及び比較器Ｃ１に夫々帰還供給する。
【００４９】
ＤレジスタＤ２は、加算器ＡＤ３から供給された加算結果を、上記サンプリングタイミングと同一クロックタイミングにて取り込んで、これをパスメトリック値Ｌ００１として加算器ＡＤ４に帰還供給する。加算器ＡＤ４は、ブランチメトリック値λ３と、ＤレジスタＤ２から供給されたパスメトリック値Ｌ００１とを加算して得られた加算結果をＤレジスタＤ３に供給する。ＤレジスタＤ３は、加算器ＡＤ４から供給された加算結果を、上記サンプリングタイミングと同一クロックタイミングにて取り込んで、これをパスメトリック値Ｌ０１１として加算器ＡＤ７及び比較器Ｃ２の各々に帰還供給する。加算器ＡＤ５は、ブランチメトリック値λ３と、ＤレジスタＤ５から供給されたパスメトリック値Ｌ１１０とを加算して得られた加算結果をＤレジスタＤ４に供給する。ＤレジスタＤ４は、加算器ＡＤ５から供給された加算結果を、上記サンプリングタイミングと同一クロックタイミングにて取り込んで、これをパスメトリック値Ｌ１００として加算器ＡＤ２及び比較器Ｃ１の各々に帰還供給する。加算器ＡＤ６は、ブランチメトリック値λ４と、後述するＤレジスタＤ６から供給されたパスメトリック値Ｌ１１１とを加算して得られた加算結果をＤレジスタＤ５、及び選択回路Ｓ２に供給する。加算器ＡＤ７は、ブランチメトリック値λ４と、ＤレジスタＤ３から供給されたパスメトリック値Ｌ０１１とを加算して得られた加算結果を選択回路Ｓ２に供給する。ＤレジスタＤ５は、加算器ＡＤ６から供給された加算結果を、上記サンプリングタイミングと同一クロックタイミングにて取り込んで、これをパスメトリック値Ｌ１１０として加算器ＡＤ５に帰還供給する。
【００５０】
加算器ＡＤ７は、ブランチメトリック値λ４と、ＤレジスタＤ３から供給されたパスメトリック値Ｌ０１１とを加算して得られた加算値を選択回路Ｓ２に供給する。比較器Ｃ２は、かかるパスメトリック値Ｌ１１１とパスメトリック値Ｌ０１１との大小比較を行い、パスメトリック値Ｌ１１１≧パスメトリック値Ｌ０１１なるときに、パス選択信号ＳＥＬ１１１を“０”とする一方、パスメトリック値Ｌ１１１＜パスメトリック値Ｌ０１１なるときに、ＳＥＬ１１１を“１”とする。選択回路Ｓ２は、かかるパス選択信号ＳＥＬ１１１が“０”である場合、すなわち、パスメトリック値Ｌ１１１がパスメトリック値Ｌ０１１以上の値である場合には、加算器ＡＤ７の加算結果を選択してこれをＤレジスタＤ６に供給する一方、パス選択信号ＳＥＬ１１１が“１”である場合、すなわち、パスメトリック値Ｌ１１１がパスメトリック値Ｌ０１１よりも小なる値である場合には、加算器ＡＤ６の加算結果を選択してこれをＤレジスタＤ６に供給する。ＤレジスタＤ６は、選択回路Ｓ２から供給された加算結果を、上記サンプリングタイミングと同一クロックタイミングにて取り込んで、これをパスメトリック値Ｌ１１１として加算器ＡＤ６及び比較器Ｃ２に夫々帰還供給する。
【００５１】
以上の如く、図１０に示される実施例においては、読取信号に対応して得られたサンプル値の値をリミッタＬＭにて振幅制限した振幅制限サンプル値を用いてビタビ復号を行う構成としている。又、図４に示される構成において用いられた予測値ｙ１  〜ｙ５  の内、予測値ｙ１  とｙ２  を夫々同一値と捉え、この値をリミッタＬＭの下限値と同一にしている。更に、予測値ｙ４  とｙ５  を夫々同一値と捉え、この値をリミッタＬＭの上限値と同一にしている。
【００５２】
よって、かかる構成によれば、例え、アシンメトリが生じて、サンプル値の値が予測値の値と大幅にずれることがあっても、引算器ＳＢ２〜ＳＢ４に供給される振幅制限サンプル値ＳＰ´（ｋ）の値は、予測値ｙ２  〜ｙ４  の範囲を越えることは無いので、ビタビ復号の性能低下を抑えることが出来るのである。
この図１０の構成が採用された場合にも、予測値設定回路１３´は、上記コンセプトに基づき、ビタビ復号器１２の出力信号からＤＶＤの記録密度及び読取信号の振幅を判別して、これに応じてｙ４  ，ｙ２  の値を最適値に変化させることにより、図４と同等のディスクに適応する作用効果を奏し得、しかも高速処理化並びにアシンメトリ対策を図りつつそれを達成することができる。より具体的には、この場合ディスクの情報記録密度が高い場合にも、読取信号の振幅が小さい場合にも、ｙ４  ，ｙ２  の絶対値を小さくすれば良い。
【００５３】
次に、図７における予測値設定回路１３´の具体例を幾つか述べる。
先ずＣＤ，ＳＤ（ＤＶＤ）に共通して確保されているディスクのリードインエリアに記録される情報を用いる方法がある。リードインエリアは、ディスクの例えば最内周部に用意された記録領域であり、主情報を記録するプログラムエリアに先立つ位置に存在する。このリードインエリアには、プログラムエリアの記録内容ないし状態の概要等を示す各種の信号が記録され、その記録信号の１つに、そのディスクがどのタイプ（種類）のディスクに属するかを示すディスク判別信号がある。つまりディスク判別信号は、ＳＤ−５，ＳＤ−１０，ＳＤ−９，ＳＤ−１８，ＳＤ−Ｒ，及びＳＤ−ＲＡＭのいずれかをを示すのである。
【００５４】
予測値設定回路１３´は、このディスク判別信号をリードインエリアの読取中にビタビ復号器１２の出力信号から得て、その内容から読取対象ディスクのタイプを判定する。そうして、この判定結果に応じて、最適な予測値を設定するのである。すなわち、予め予測値設定回路において各ディスクタイプに個別に対応する予測値をデータとして保持しておき、その保持データから判定したディスクタイプの予測値を抽出ないしは選択してビタビ復号器に供給すれば良い。
【００５５】
リードインエリアの記録信号を用いる他の方法に、密度判別信号を用いてディスクの判別を行う方法がある。この密度判別信号は、ディスクの情報記録密度を示すものであって、記録情報の１ビット当たりのトラック長ｄ［μｍ／ｂｉｔ］で表現される。例えば２ビットの密度判別信号は、ｄ０  ，ｄ１  ，ｄ２  ，ｄ３  の４通りの記録密度を表現することができる。予測値設定回路１３´は、このような密度判別信号をリードインエリアの読取中にビタビ復号器１２の出力信号から得て、その内容から読取対象ディスクのタイプを判定する。そうして、この判定結果に応じて、最適な予測値を設定するのである。これにより、読取対象ディスクの記録密度に適合した予測値が得られる。この場合、予測値設定回路は記録密度毎の予測値を用意しておき、判定したディスクタイプ（つまり記録密度で種別されるタイプ）に対応する予測値をビタビ復号器に供給する構成を採り得るが、記録密度と読取信号の振幅との双方に対応づけられた予測値を用意しておけば、次に述べる反射率による判別結果を併せることにより当該双方に適合する予測値をビタビ復号器に与えることができる。
【００５６】
そして、リードインエリアの記録信号には、反射率判別信号が含まれる。この反射率判別信号は、ディスクの入射レーザ光と反射レーザ光との光量比ｒ［％］で表現され、例えば２ビットの反射率判別信号は、ｒ０  ，ｒ１  ，ｒ２  ，ｒ３  の４通りの反射率を表現することができる。予測値設定回路１３´は、このような反射率判別信号をリードインエリアの読取中にビタビ復号器１２の出力信号から得て、その内容から読取対象ディスクのタイプを判定する。そうして、この判定結果に応じて、最適な予測値を設定するのである。これにより、読取対象ディスクの読取信号の振幅に適合した予測値が得られる。この場合、予測値設定回路は反射率すなわち読取信号振幅毎の予測値を用意しておき、判定したディスクタイプ（つまり反射率で種別されるタイプ）に対応する予測値をビタビ復号器に供給する構成を採り得るが、記録密度と読取信号の振幅との双方に対応づけられた予測値を用意しておけば、前に述べた記録密度による判別結果を併せることにより当該双方に適合する予測値をビタビ復号器に与えることができる。
【００５７】
一方、ＳＤ−９のような２層構造ディスクを読み取る場合、予測値設定回路１３´は、ディスクの例えばセクタヘッダ（記録セクタの先頭に設けられたアドレス信号等の記録領域）に記録された再生層判別信号を読み取り、情報再生しようとする情報記録層の読取信号の振幅を判別することができる。情報記録層の読取光に対する反射率が各層毎に規定された（各層互いに異なる）このような２層構造ディスクでは、得られる読取信号の振幅が異なるので、予測値設定回路１３´は、このような再生層判別信号をビタビ復号器１２の出力信号から得て、その内容から読取対象の情報記録層を判定する。そうして、この判定結果に応じて、最適な予測値を設定するのである。これにより、読取対象の情報記録層から得られる読取信号の振幅に適合した予測値が得られる。
【００５８】
他方、ディスクプレーヤを図１１の如く構成して読取対象ディスクに適応する予測値設定を行うようにしても良い。
図１１において、予測値設定回路１３´´は、Ａ／Ｄ変換器１１の出力信号に基づいてビタビ復号における予測値を設定する。予測値設定回路１３´´は、例えばリードインエリアに記録された最小反転間隔信号（上記実施例に従えば３Ｔ信号）の振幅を、リードインエリアの読取時にＡ／Ｄ変換器１１の出力である読取信号のサンプル値列から検出する。かかる振幅は、ディスクの情報記録密度が高いと小さくなり、低いと大きくなるという相関性を持っており、この振幅を検出することにより、読取対象ディスクの情報記録密度を判別することができる。従って予測値設定回路１３´´は、検出した最小反転間隔信号の振幅に応じて最適な予測値を設定するのである。これにより、読取対象ディスクの情報記録密度及び読取信号の振幅に適合した予測値が得られる。なお、ここではリードインエリアに記録された最小反転間隔信号を用いた例を述べたが、これに限らず、プログラムエリア等他のエリアに記録された最小反転間隔信号の振幅を、その読取時にＡ／Ｄ変換器１１の出力である読取信号のサンプル値列から検出し同様の作用効果を得るようにしても良い。
【００５９】
なお既に触れたように、光ディスクでは記録時の記録パワーの変動等に起因して、アシンメトリと呼ばれる読取信号が上下非対称となる現象が発生することがある。特にＳＤ−ＲやＳＤ−ＲＡＭでは記録条件の厳密な管理が困難なため、アシンメトリが大きくなりやすい。
この対策として、ビタビ復号器１２に供給する予測値を発生したアシンメトリに応じて上下非対称とすることにより、当該アシンメトリによる復号データの誤り率の劣化を軽減することができる。予測値設定回路１３，１３´及び１３´´は、例えばディスク種類によって予め予想されるアシンメトリに応じた非対称な予測値をビタビ復号器１２に供給すれば良い。また、予測値設定回路は、例えばＡ／Ｄ変換器１１からの再生サンプル値列の上側ピークレベルと下側ピークレベルを検出して、このレベル差に応じた非対称な予測値をビタビ復号器に供給するようにしても良い。上述の表４に示される予測値を用いてこれを表せば、
【００６０】
【数４】
｜ｙ５｜≠  ｜ｙ１｜
｜ｙ４｜≠  ｜ｙ２｜
と設定されることとなる。
これまでの説明においては、記録媒体として光ディスクのみを挙げたが、本発明は、基本的にこれに限定されるものではなく、磁気ディスクなど、他の記録媒体の情報再生装置にも適用可能である。さらに注記すれば、図１にＣＤ／ＤＶＤ互換のディスクプレーヤを、図７及び図１１にＳＤ（ＤＶＤ）ファミリ互換のディスクプレーヤを示したが、これらの互換技術が混在するディスクプレーヤを構成し得ることは勿論である。また、上述では所定の算出方法によって最適な予測値を求めているが、これに限らず、最適な予測値を実験上求めるようにしても良い。
【００６１】
【発明の効果】
上記したことから明らかなように、本発明によるデジタルデータ記録異種媒体情報再生装置においては、再生対象とされる記録媒体の種類に対応してビタビ復号における予測サンプル値を異ならしめており、再生対象とされた記録媒体及びその読取手段を含む読取信号系の伝送特性及び読取信号の振幅に適したビタビ復号を実行出来るので、正確にデジタルデータ再生することが出来る。
【００６２】
【図面の簡単な説明】
【図１】本発明によるＣＤ／ＤＶＤコンパチブル情報再生装置の実施例を示すブロック図。
【図２】図１の装置における予測サンプル値設定回路の具体例を示すブロック図。
【図３】図１の装置におけるビタビ復号回路の具体例を示すブロック図。
【図４】図３に示したブランチメトリック演算回路及びパスメトリック演算回路の具体構成例を示すブロック図。
【図５】図３に示したパスメモリの具体例を示すブロック図。
【図６】図１に示した予測サンプル値設定回路の一部の具体例を示す回路図。
【図７】本発明によるＳＤファミリコンパチブル情報再生装置の実施例を示すブロック図。
【図８】図３に示したブランチメトリック演算回路及びパスメトリック演算回路を改善した例を示す詳細ブロック図。
【図９】本発明による実施例の情報再生装置におけるＡ／Ｄ変換器から出力される再生サンプル値系列の一例であって、アシンメトリの影響及び対策の概要を示す模式図。
【図１０】図３に示したブランチメトリック演算回路及びパスメトリック演算回路を改善した他の例を示す詳細ブロック図。
【図１１】本発明によるＳＤファミリコンパチブル情報再生装置の他の実施例を示すブロック図。
【符号の説明】
１  スピンドル駆動モータ
２  ターンテーブル
３  光ディスク
４，５  光ピックアップ
７，８  アンプ
９  切換スイッチ回路
１０  ディスク判別回路
１１  Ａ／Ｄ変換器
１２  ビタビ復号回路
１３，１３´，１３´´  予測サンプル値設定回路
１４  ＤＶＤデータ処理回路
１５  ＣＤデータ処理回路
１４´  ＳＤファミリデータ処理回路
２０  係数設定回路
２１  数値列生成回路
２２  畳み込み演算回路
３０，３０´  ブランチメトリック演算回路
３１，３１´，３１´´  パスメトリック演算回路
３２  パスメモリ
【図１】
0003570791.tif 000007
【図２】
0003570791.tif 000008
【図３】
0003570791.tif 000009
【図４】
0003570791.tif 000010
【図５】
0003570791.tif 000011
【図６】
0003570791.tif 000012
【図７】
0003570791.tif 000013
【図８】
0003570791.tif 000014
【図９】
0003570791.tif 000015
【図１０】
0003570791.tif 000016
【図１１】
0003570791.tif 000017